(57)【特許請求の範囲】
【請求項１】
棒状の本体部と、該本体部の一端側に位置し該本体部の回動中心軸線のまわりで位置調整可能に緩急針体に装着される基部と、前記本体部の他端から二股に分かれて延びた一対の脚部とを備え、ひげぜんまいの癖付け部より外周側に位置する外端の一部が前記一対の脚部間の間隙に遊嵌されるように構成されたひげ棒構造体であって、
前記一対の脚部のうち少なくとも一方の脚部の先端部の少なくとも一方の側縁部に、前記間隙に対面する側面に沿って横向きに突出したひさし状突出部が形成されているひげ棒構造体。
【請求項２】
前記一対の脚部のうちの少なくとも一方の脚部は、該一対の脚部のうちの他方の脚部に近接する部位程細くなるように、側縁部が切欠かれた形状を有する請求項１に記載のひげ棒構造体。
【請求項３】
前記ひさし状突出部の突出端縁が、前記本体部の外周面の延長上に位置する請求項２に記載のひげ棒構造体。
【請求項４】
前記少なくとも一方の脚部の前記ひさし突出部のうち該少なくとも一方の脚部の前記側面に沿った側面部分が、該少なくとも一方の脚部の該側面と同一平面上にある請求項１から３までのいずれか一つの項に記載のひげ棒構造体。
【請求項５】
前記ひさし状突出部が、両方の前記脚部の先端部の両方の側縁部に形成されている請求項１から４までのいずれか一つの項に記載のひげ棒構造体。
【請求項６】
前記ひさし状突出部が、両方の前記脚部の先端部の両方の側縁部に形成され、各脚部の各ひさし突出部のうち該脚部の前記側面に沿った側面部分が、該脚部の該側面と同一平面上にある請求項１から４までのいずれか一つの項に記載のひげ棒構造体。
【請求項７】
前記ひさし状突出部が前記脚部のサライ加工により形成されている請求項１から６までのいずれか一つの項に記載のひげ棒構造体。
【請求項８】
ひげ棒構造体の装着孔を備えた緩急針体と、該緩急針体の前記装着孔に基端部で装着された請求項１から７までのいずれか一つの項に記載のひげ棒構造体とを有する緩急針。
【請求項９】
請求項８に記載の緩急針を有するてんぷ構造体。
【請求項１０】
請求項９に記載のてんぷ構造体を備えた機械式時計。
【発明の詳細な説明】
【技術分野】
【０００１】
本発明は、ひげ棒構造体、並びにこれを備えた緩急針、てんぷ構造体及び機械式時計に係る。
【背景技術】
【０００２】
「棒状の本体部と、該本体部の一端側に位置し該本体部の回動中心軸線のまわりで位置調整可能に緩急針体に装着される基部と、前記本体部の他端から二股に分かれて延びた一対の脚部とを備え、ひげぜんまいの癖付け部より外周側に位置する外端の一部が前記一対の脚部間の間隙（スリット）に遊嵌されるように構成されたひげ棒構造体」を備えた緩急針は、従来から多くの機械式時計に使用され、広く知られている。
【０００３】
このひげ棒構造体では、ひげ受を要しないことから、構造が簡単化されるという利点がある反面、強い衝撃を受けた場合、ひげぜんまいの外端が脚部間の間隙から外れる虞れがある。
【０００４】
この問題を避けるべく、両脚部の先端部を叩いて該先端部を内向きに、すなわち間隙を狭める向きに、曲げることが、提案されている（特許文献１）。
【０００５】
しかしながら、この提案のひげ棒構造体（特許文献１では「regulator key （直訳すれば、「ひげ受」）」と記載（命名）されているけれども、ここでは、ひげ棒構造体として扱う）は、一対の脚部の先端部が相互に近接するように内向きに曲がっているので、ひげぜんまいの外端の離脱を防止すべく先端部間の隙間を小さくする場合、組付けの際に脚部の先端部間の隙間を開いてひげぜんまいを強制的に押込む必要があり、組立が面倒であるだけでなく、ひげぜんまいに不測の変形を生じさせる虞れもある。
【０００６】
また、この提案のひげ棒構造体では、脚部の先端部を叩いて内向きに曲げ加工することから、曲げ加工の際に、ひげ棒構造体の脚部が多少なりとも変形して、ひげぜんまいの挙動に無視し難い影響を及ぼす虞れがあるだけでなく、個体差も大きくなり、調整が面倒になる虞れがあり、また、専用の加工機なしには自動的な加工が困難であり、汎用の数値制御切削加工機械などによる連続加工システムでは実際上製造され難い。
【０００７】
更に、この提案のひげ棒構造体では、内向きに曲げ加工することから、該内向きの曲げ加工を確実に行うためには、脚部間の間隙を十分に大きくしたり脚部の先端部を十分に細くしたりする必要もある。
【特許文献１】米国特許第４，０８３，１７９号明細書
【発明の開示】
【発明が解決しようとする課題】
【０００８】
本発明は、前記した点に鑑みなされたものであって、その目的とするところは、組付けが容易でありながら、離脱の虞れなくひげぜんまいを間隙内に保持し得るひげ棒構造体、並びにこれを備えた緩急針、てんぷ構造体及び機械式時計を提供することにある。
【課題を解決するための手段】
【０００９】
本発明のひげ棒構造体は、前記目的を達成すべく、棒状の本体部と、該本体部の一端側に位置し該本体部の回動中心軸線のまわりで位置調整可能に緩急針体に装着される基部と、前記本体部の他端から二股に分かれて延びた一対の脚部とを備え、ひげぜんまいの癖付け部より外周側に位置する外端の一部が前記一対の脚部間の間隙に遊嵌されるように構成されたひげ棒構造体であって、前記一対の脚部のうち少なくとも一方の脚部の先端部の少なくとも一方の側縁部に該少なくとも一方の脚部のうち前記間隙に対面する側面に沿って横向きに突出したひさし状突出部が形成されている。
【００１０】
本発明のひげ棒構造体では、「棒状の本体部の他端（先端側端部）から二股に分かれて延びた一対の脚部のうち少なくとも一方の脚部の先端部の少なくとも一方の側縁部に該少なくとも一方の脚部のうち前記間隙に対面する側面に沿って横向きに突出したひさし状突出部が形成されている」ので、ひげ棒構造体の一対の脚部間の間隙内にひげぜんまいの癖付け部より外周側に位置する外端の一部を遊嵌させた状態で該外端の遊嵌部分に対してひげ棒構造体をその中心軸線のまわりで所望角度だけ回動（以下では、所定回動という）させるだけで、ひさし状突出部が間隙の先端開口の側すなわちひげぜんまいの外端の前記一部の背後において、ひげぜんまいの外端に隣接する部分が離脱方向に移動するのを妨げる位置に達するので、ひげぜんまいの外端の遊嵌部分が間隙から離脱するのを実際上禁止し得る。
【００１１】
ここで、ひげ棒構造体の前記所定回動は、元来、ひげぜんまいの外端が遊嵌される該構造体の脚部間の間隙の実効幅を調整してひげぜんまいのアオリ幅を所望範囲に調整するためにするために不可欠な調整であり、例えば、０．０３ｍｍ程度の厚さのひげぜんまいの外端が０．０９ｍｍ程度の間隙内に遊嵌された後、ひげ棒構造体が回動されることにより、間隙の実効幅が狭められる。ここで、寸法は単なる例示である。この所定回動は、間隙を所定幅になる大きさに選択され、該所定幅によって規定される大きさの間隙内でひげぜんまいの外端の挙動が規定され、ひげぜんまいの挙動が規定される。すなわち、本発明のひげ棒構造体では、ひげぜんまいのアオリ幅の回動調整により、ひさし状突出部がひげぜんまいの外端の離脱防止機能を果たす状態に設定され得る。
【００１２】
すなわち、本発明のひげ棒構造体では、ひさし状突出部を含めて脚部間の間隔を、ひげぜんまいの外周部分の厚さよりも十分大きくしておくことが可能になるので、ひげぜんまいのひげ棒構造体の脚部間への遊嵌は容易に行われ得、該遊嵌後、ひげ棒構造体の回動角度を調整することにより、てんぷ構造体の設定が行われ得る。
【００１３】
以上において、ひげ棒構造体の本体部は、該構造体の緩急針体への装着を可能にする基部と一対の脚部とをつなぎ得る限り、短くても長くてもよく、場合によっては、脚部間の間隙が本体部まで延びていてもよい。脚部の基部側部分を本体部とみなせばよい。
【００１４】
本発明のひげ棒構造体では、典型的には、前記一対の脚部のうちの少なくとも一方の脚部は、該一対の脚部のうちの他方の脚部に近接する部位程細くなるように、側縁部が切欠かれた形状を有する。
【００１５】
この場合、ひげぜんまいの外端を遊嵌状態に保つ脚部間間隙の実効幅を調整するためにひげ棒構造体の回動角を大きく採り得るから、実効幅の調整が容易になるだけでなく、ひさし状突出部の突出長を大きくしておくだけで、ひげぜんまいが間隙の先端開口から離脱するのを確実に防ぎ得る。ここで、切欠のうち脚部の先端側の端縁がひさし状突出部のうちひげぜんまいの側面に対面する表面を規定するようにしておくことにより、切欠とひさし状突出部とを同時に形成し得る。この観点で見ると、本発明のひげ棒構造体では、脚部の先端側の全長に渡って切欠を形成する代わりに、脚部の先端にひさし状突出部を残して切欠を形成していることになる。
【００１６】
本発明のひげ棒構造体は、典型的には、金属材料からなり、本発明のひげ棒構造体では、典型的には、前記ひさし状突出部が前記脚部のサライ加工により形成されている。即ち、切欠及びひさし状突出部がサライ加工により形成されている。その場合、ひげ棒構造体が一連の切削加工により一気に形成され得、量産が容易に行われ得る。但し、所望ならば、脚部、切欠及びひさし状突出部を備えた形状のひげ棒構造体が、鋳造その他の成形により形成されていてもよい。ひげ棒構造体の材料も、所望ならば、セラミック材料でもよく、場合によっては、樹脂その他の材料でもよい。
【００１７】
本発明のひげ棒構造体では、典型的には、ひさし状突出部の突出端縁が、本体部の外周面の延長上に位置する。これにより、ひげ棒構造体の脚部の側縁部を切欠くだけで、ひさし状突出部が形成され得る。その場合でも、本体部が先細になっているときには、本体部のうち脚部につながる部分よりもひさし状突出部の突出長が小さくなり、本体部が先太になっている場合には、本体部のうち脚部につながる部分よりもひさし状突出部の突出長が大きくなる。但し、所望ならば、前記ひさし状突出部の外周が、前記本体部の外周面の延長上よりも外まで突出していても、内側に止まっていてもよい。
【００１８】
本発明のひげ棒構造体では、典型的には、前記少なくとも一方の脚部の前記ひさし突出部のうち該少なくとも一方の脚部の前記側面に沿った側面部分が、該少なくとも一方の脚部の該側面と同一平面上にある。これにより、前述のように、ひげ棒構造体の脚部間の間隙中へのひげぜんまいの容易な遊嵌を保証し得る。但し、ひさし状突出部が十分に側方に突出している場合には、ひさし状突出部の前記側面が脚部の前記側面よりも多少後退していてもよい。なお、所望ならば、ひさし状突出部の前記側面が脚部間の前記側面よりも多少突出していてもよい。
【００１９】
本発明のひげ棒構造体では、典型的には、前記ひさし状突出部が、両方の前記脚部の先端部の両方の側縁部に形成されている。これにより、ひげ棒をどちらの向きに回動させても、また、ひげぜんまいの渦巻きがどちら向きに巻いた形状でも対応するひさし状突出部により、ひげぜんまいの離脱を防ぎ得る。
【００２０】
なお、一対の脚部のうち一方の脚部の一方の側縁にひさし状突出部がある場合、これと協働するためには、他方の脚部のうち反対側の側縁にひさし状突出部があればよい。勿論、最低限の条件としては、一方の脚部の一方の側縁にひさし状突出部があればよい。但し、さらい加工のような切削加工等により切欠凹部を形成することにより該凹部の壁部としてひさし状突出部を形成するような場合、加工の容易さからして、前記ひさし状突出部が、両方の前記脚部の先端部の両方の側縁部に形成されることが好ましい。
【００２１】
従って、本発明のひげ棒構造体では、典型的には、上述のように、ひさし状突出部がさらい加工により形成されている。また、本発明のひげ棒構造体において、両側の脚部の同じ側縁にあるひさし状突出部は、典型的には、同一（鏡映対称）の大きさ・形状を有する。但し、所望ならば、左右のひさし状突出部の形状が非対称であってもよい。その場合、ひさし状突出部と脚部との境界線は脚部間の間隙に対面する脚部の側面に対して斜交する。従って、ひげぜんまいの外端が間隙に対して斜めに延びるようにひげ棒構造体を回動させた状態で、間隙の先端開口からのひげぜんまいの離脱をひさし状突出部が確実に防ぎ易い。
【００２２】
本発明のひげ棒構造体では、典型的には、前記ひさし状突出部が、両方の前記脚部の先端部の両方の側縁部に形成され、各脚部の各ひさし突出部のうち該脚部の前記側面に沿った側面部分が、該脚部の該側面と同一平面上にある。
【００２３】
本発明の緩急針では、ひげ棒構造体の装着孔を備えた緩急針体と、該緩急針体の前記装着孔に基端部で装着された上述のようなひげ棒構造体を有し、この緩急針が組込まれて本発明のてんぷ構造体が形成され、該てんぷ構造体が組込まれて本発明の機械式時計が形成される。
【００２４】
本発明のてんぷ構造体では、前記ひげ棒構造体がその中心軸線のまわりで回動された状態において、前記ひさし状突出部がひげぜんまいの前記間隙からの離脱を防ぐように構成される。
【発明を実施するための最良の形態】
【００２５】
本発明の好ましい一実施の形態を添付図面に示した好ましい一実施例に基づいて説明する。
【実施例１】
【００２６】
図１には、本発明による好ましい一実施例の機械式時計１が示されている。図１では、機械式時計１のうち外装を省いたムーブメント３のみが示されている。時計１のムーブメント３は、調速機構としてのてんぷ構造体２を備える。図１に示した時計１のムーブメント３は、回転錘４を備えた自動巻式時計用のムーブメントからなるけれども、巻真５による手巻き式のものでもよい。図１に示した機械式時計１のムーブメント３は、単なる一例であって、ムーブメント３の詳細な構造は、他のどのようなものであってもよい。
【００２７】
本発明による好ましい一実施例のてんぷ構造体２は、図２〜図４に示したように、てんぷ上軸受１０と地板６（図１参照）の下軸受（図示せず）との間において中心軸線ＣのまわりでＣ１，Ｃ２方向に回動自在に支持された天真２１を有する。てんぷ上軸受１０は、この例では、図４又は図２からわかるように、軸受枠１１と、上穴石１２及び上受石１３と、受石押えばね１４とを有する。てん真２１の長手方向の中央部には、てん輪２２がそのアーム部２３の内端ボス部２４で固定されている。図４において、てん真２１の下端側には、脱進機構（図示せず）のアンクル体（図示せず）に係合される振り座２５が固定され、てん真２１の上端側には、ひげ玉２６が固定されている。てんぷ上軸受１０の軸受枠１１は小径部１５で、てんぷ受３０の円筒状部３１に嵌着されている。てんぷ受３０は、円弧状に延びた本体部３２の取付け部３３，３４で地板６に位置決め・固定される。なお、この段落を含めて、この明細書では、特に断らない限り、単なる便宜上、図４において上方を「上」と呼び、下方を「下」と呼ぶ。従って、時計１の裏蓋（図示せず）のある側を「上」と呼び、文字板（図示せず）のある側を「下」と呼ぶ。
【００２８】
てんぷ受３０の円筒状部３１の外周にはひげ持受４０が基端孔部４１で嵌合され、ひげ持受４０のうち半径方向に延びた本体部４２の先端部４３には、ひげ持５０が取付けられている。この例では、ひげ持受４０の先端部４３は、二股のアーム部４４，４５からなり、該アーム部４４，４５の間に、ひげ持５０の軸部５１が弾性的に嵌着されている。この例では、軸部５１は円錐台形状を有し、その小径側端部に大径の鍔部５２が形成されていて、鍔部５２の端面５３と軸部５１の円錐台状傾斜表面５４とがアーム部４４，４５に当接することにより、ひげ持５０がアーム部４４，４５に対して位置決め・保持されている。
【００２９】
てんぷ上軸受１０には中心軸線ＣのまわりでＣ１，Ｃ２方向に回動可能に緩急針構造体６０が取付けられている。緩急針構造体６０は、てんぷ上軸受１０の軸受枠１１の大径部１６の外周に基端孔部６１で回動可能に嵌合され半径方向外向きに延びた緩急針体６２と、緩急針体６２の先端部６３に取付けられたひげ棒構造体７０とを有する。
【００３０】
ひげ玉２６とひげ持５０との間には、渦巻きばねの形態のひげぜんまい９０が配設されている。ひげぜんまい９０は、一様な渦巻き状の本体部９１と、本体部９１の外周端９２につながった癖付け部９３と、癖付け部９３の外周端につながった円弧状の外端９４とを有する。この例では、癖付け部９３は両端９３ａ，９３ｂで折り曲げられてなる斜め向きの直線状部分からなるけれども、外端９４を本体部９１から半径方向に離間させ得る限り、三箇所以上で折り曲げられてなる等他の形状でもよい。ひげぜんまい９０は、本体部９１の半径方向内側端部９５でひげ玉２６に固定され、癖付け部９３よりも外周側の外端９４の先端部９６でひげ持５０の下端に位置するひげぜんまい取付け部５５に固定されている。ひげぜんまい取付け部５５は、この例では、間隙５６を介して延びた二股の脚部５７，５８からなり、該脚部５７，５８間の間隙５６内にひげぜんまい９０の外端９４の先端部９６が挿通されて、挿入部において脚部５７，５８間に固着されている。
【００３１】
なお、以上において説明したてんぷ上軸受１０、てん真２１、てん輪２２、振り座２５、ひげ玉２６、てんぷ受３０、ひげ持受４０及びひげ持５０、緩急針体６２、並びにひげぜんまい９０の構造は、単なる一例であって、夫々が本来の機能を果たし得る限り、その形状や構造は図示のものとは異なっていていもよい。
【００３２】
緩急針構造体６０の緩急針体６２は、半径方向外向きに延びた本体部６４と、該本体部６４の先端側において、間隙６５を介して二股に延びたアーム部６６，６７とを有する。
【００３３】
ひげ棒構造体７０は、図７の（ａ）〜（ｄ）に示したように、軸部７１と、該軸部７１の基端側の頭部７２と、該軸部７１の先端側のひげぜんまい係合部８０とを有する。
【００３４】
軸部７１は、ひげ棒構造体７０の棒状本体部としての円柱状の軸本体部７３と、該軸本体部７３と頭部７２とをつなぐ基部７４とを有する。基部７４は、小径端部で頭部７２につながった基端側円錐台状部７５と、該基端側円錐台状部７５の大径端部に大径端部でつながった軸本体部側の逆向きの円錐台状部７６とを有する。基端側円錐台状部７５の小径端部と頭部７２との間には短い円柱状部７４ａが形成され、基端側円錐台状部７５の大径端部と軸本体部側円錐台状部７６の大径端部との間には、大径の短い円柱状部７４ｂが形成されている。
【００３５】
頭部７２は、円柱状部７４ａよりも十分に大きく半径方向外向きに突出したフランジ状の厚板部からなり、頭部７２のうち軸部７１に向いた主面７２ａはひげ棒構造体７０の中心軸線Ｅに対して垂直な平面になっている。頭部７２の厚板部は、相互に平行な側面７２ｂ，７２ｃを有する。
【００３６】
ひげ棒構造体７０のひげぜんまい係合部８０は、二股の脚部８１，８２と、該脚部８１，８２の先端の両側において横向きに突出したひさし状突出部８３，８４とを有する。脚部８１及びそのひさし状突出部８３と脚部８２及びそのひさし状突出部８４との間には、幅一定の間隙ないしスリット８５が形成されている。この間隙８５は、ひさし状突出部８３，８４の先端側主面８３ａ，８４ａから軸部７１の軸本体部７３の先端側端面７３ａまで直線状に延びている。従って、脚部８１，８２及びひさし状突出部８３，８４は、間隙８５の側壁を規定すべく間隙８５に対面する平面状の壁面ないし側面８１ｂ，８２ｂ及び８３ｂ，８４ｂを有する。ここで、ひさし状突出部８３，８４の側面８３ｂ，８４ｂは、夫々、対応する脚部８１，８２の側面８１ｂ，８２ｂと面一である。従って、ひさし状突出部８３，８４は、夫々、対応する脚部８１，８２の側面８１ｂ，８２ｂに沿って横向きに延在している。この例では、脚部８１のひさし状突出部８３について、横向きとは、ひげ棒構造体７０の中心軸線Ｅに対して直角で且つ脚部８２との間隙８５に向かう方向に対して実質的に直角な方向をいい、脚部８２のひさし状突出部８４について、横向きとは、ひげ棒構造体７０の中心軸線Ｅに対して直角で且つ脚部８１との間隙８５に向かう方向に対して実質的に直角な方向をいう。
【００３７】
なお、脚部８１，８２及びひさし状突出部８３，８４は、軸部７１の軸本体部７３の円筒状周面７３ｂの延長上に位置する部分円筒状周面８１ｃ，８２ｃ及び部分円筒状周面部分８３ｃ，８４ｃを有する。
【００３８】
脚部８１，８２は、両側で部分円筒状ないし円弧状に切欠かれており、脚部８１の部分円筒状凹面ないし円弧状凹面の形態の側面８１ｄ，８１ｅは、夫々、脚部８２の部分円筒状凹面ないし円弧状凹面の形態の側面８２ｄ，８２ｅと同一の円筒面に沿って位置する。脚部８１，８２のうち間隙８５に対面する側面８１ｂ，８２ｂは、間隙８５の幅Ｗ（例えば、０．１ｍｍ程度又はそれ以下）と同程度又はそれよりも小さい横幅Ｆ（例えば、０．０５ｍｍ程度又はそれ以下）を有する。脚部８１，８２の外周側表面部分８１ｃ，８２ｃの幅は、脚部８１，８２が十分な機械的強度を有し得るように、側面８１ｂ，８２ｂの幅Ｆよりも十分に大きい。
【００３９】
脚部８１のひさし状突出部８３は、二つの横向き突出部分８６，８７からなり、脚部８２のひさし状突出部８４も、二つの横向き突出部分８８，８９からなる。この例で、突出部８６〜８９について、横向きとは、前述のように、中心軸線Ｅの延在方向に対して直角な方向で且つ間隙ないしスリット８５の側面８１ｂ，８２ｂの延在方向と平行な方向をいう。
【００４０】
突出部分８６，８７，８８，８９のうち軸本体部７３の端面７３ａに対面する主面８６ａ，８７ａ，８８ａ，８９ａは同一平面上にある。
【００４１】
軸本体部７３の端面７３ａと、脚部８１の部分円筒状側面８１ｄと、ひさし状突出部８３の突出部分８６の主面８６ａとによって、ほぼ三角柱状のひげぜんまい外端収容領域Ｓ１が形成される。同様に、軸本体部７３の端面７３ａと脚部８２の部分円筒状側面８２ｄとひさし状突出部８４の突出部分８８の主面８８ａとによってほぼ三角柱状のひげぜんまい外端収容領域Ｓ２が形成され、軸本体部７３の端面７３ａと脚部８１の部分円筒状側面８１ｅとひさし状突出部８３の突出部分８７の主面８７ａとによってほぼ三角柱状のひげぜんまい外端収容領域Ｓ３が形成され、軸本体部７３の端面７３ａと脚部８２の部分円筒状側面８２ｅとひさし状突出部８４の突出部分８９の主面８９ａとによってほぼ三角柱状のひげぜんまい外端収容領域Ｓ４が形成される。ひげぜんまい外端収容領域Ｓ１，Ｓ２，Ｓ３，Ｓ４は、いずれも、間隙ないしスリット８５につながっている。
【００４２】
ここで、ひげぜんまい外端収容領域Ｓ１及びＳ２は円弧状のサライ加工のような一つの切削加工によって同時に形成され得、同様に、ひげぜんまい外端収容領域Ｓ３及びＳ４も円弧状サライ加工によって同時に形成され得る。この切削加工は、ひげ棒構造体７０を形成する自動切削加工工程の一部として組込まれ得るから、ひげ棒構造体７０は、一連の切削加工により一気に製造され得る。従って、ひげ棒構造体７０は構造上量産に適する。
【００４３】
図７の（ａ）からわかるように、突出部分８６，８７，８８，８９の主面８６ａ，８７ａ，８８ａ，８９ａと軸本体部７３の端面７３ａとの間隔Ｈ、換言すれば、ひげぜんまい外端収容領域Ｓ１，Ｓ２，Ｓ３，Ｓ４の高さＨは、ひげぜんまい９０（図７の（ａ）の想像線部分）の幅よりも十分に大きい。
【００４４】
以上の如く構成されたひげ棒構造体７０は、まず、緩急針体６２に取付けられる。この取付に際しては、ひげ棒構造体７０は、その軸部７１の基部７４の中径円筒状部７４ａ及び円錐台状部７５の小径部分が、緩急針体６２の先端部６３の二股のアーム部６６，６７の拡開先端縁部６６ｃ，６７ｃの間の開口６８からＫ方向に押込まれて（てんぷ構造体２の組立後の状態を示す拡大図である図５の（ａ）中の緩急針体６２の先端部分参照）、二股のアーム部６６，６７の凹状部６６ａ，６７ａ間に挟まれることにより緩急針体６２に固定される。ここで、円錐台状部７５が弾性的に挟まれることにより、フランジ状頭部７２の面７２ａがアーム部６６，６７の表面６６ｂ，６７ｂに当接して安定に位置決めされる。この状態において、ひげ棒構造体７０は、スリット８５の開口部８５ａが緩急針体６２の延在方向（半径方向）に対してほぼ直角な方向（てんぷ上軸受１０の周方向）に延びるように、中心軸線Ｅのまわりにおいて回動されて位置調整される。なお、ひげ棒構造体７０が緩急針体６２に対して中心軸線Ｅのまわりで回動可能である限り、ひげ棒構造体７０の緩急針体６２への装着の仕方や構造は上述の説明とは異なっていてもよい。例えば、ひげ棒構造体７０がビスなどにより基部で緩急針体６２に装着・固定されるようになっていてもよい。
【００４５】
てんぷ構造体２の組立は、例えば、次のような手順で行われる。
【００４６】
まず、一方では、図４に示したてんぷ構造体２のうちの下側に位置する部品群、即ち、てん真２１及びその取付け部品２５，２６等、てん輪２２、ひげぜんまい９０並びにひげ持５０が、てんぷ下側組立体２ａとして準備され、他方では、図４に示したてんぷ構造体２のうちの上側に位置する部品群、即ち、てんぷ上軸受１０、てんぷ受３０、ひげ持受４０及び緩急針構造体６０が、てんぷ上側組立体２ｂとして準備される。
【００４７】
次に、てんぷ上側組立体２ｂが図４とは上下反転した状態で、基台上に載置され、その上からてんぷ下側組立体２ａが組付けられる。この組付けの際には、例えば、てん真２１の上側ほぞ部や上側軸部をてんぷ上軸受１０の上穴石１２のほぞ穴や軸受枠１１の軸受穴に挿入しててん真２１をてんぷ上軸受１０で支えた後、ひげ持５０をひげ持受４０の先端部４３のアーム部４４，４５間に先端拡開開口から半径方向内向きに押込んで、ひげ持５０をひげ持受４０に組付ける。このひげ持５０とひげ持受４０との結合の仕方は、この例では、前述のひげ棒構造体７０と緩急針体６１との結合の仕方と同じである。なお、てんぷ上側組立体２ｂとてんぷ下側組立体２ａとの組立の仕方は上述の説明とは異なっていてもよい。また、ひげ持受４０とひげ持５０との固定の仕方や構造等も上述の説明とは異なっていてもよい。
【００４８】
次に、外端９４の先端部９６でひげ持５０に固定されたひげぜんまい９０の外端９４の中間部分９７をつまみ上げて、ひげ棒構造体７０のスリット８５内に遊嵌させる。このひげ棒構造体７０では、スリット８５が、開口部８５ａまで実際上同じ大きさ（例えば、０．１ｍｍ程度）であり、ひげぜんまい９０の厚さ（例えば、０．０３ｍｍ程度）よりも十分に大きいので、ひげぜんまい９０の外端９４がスリット８５に容易に遊嵌され得る。なお、スリット８５の開口部８５ａは、前述のとおり、周方向に延びているので、同一方向に延びた外端９４はそのままスリット８５に遊嵌され得る。
【００４９】
以上のようにしててんぷ上側組立体２ｂとてんぷ下側組立体２ａとの組立が完了し、てんぷ構造体２が形成される。このようにして組立てられた状態のてんぷ構造体２は、丁度、図４の断面図に示した状態を採る。
【００５０】
この当初の遊嵌状態においては、図７の（ａ）に想像線で示したように、ひげぜんまい９０の外端９４の部分９７は、内周面部９７ａがひげ棒構造体７０の脚部８１の側面８１ｂから離間し外周面部９７ｂが脚部８２の側面８２ｂから離間した状態でひげ棒構造体７０のスリット８５内に位置し、且つ一方の側縁９７ｃがスリット８５の底面に相当する軸本体部７３の端面７３ａから十分に離間し他方の側縁９７ｄがひさし状突出部８３，８４を構成する突出部分８６〜８９の主面部分８６ａ，８８ａ等から十分に離間した状態で、ひげ棒構造体７０の間隙８５に遊嵌されている。
【００５１】
次に、図５の（ａ）や図６に示したように、緩急針体６２に対して、ひげ棒構造体７０を、その中心軸線Ｅのまわりで（例えばＥ１方向に）所望角度α（図５の（ａ）参照）だけ回動させることにより、スリット８５の実効幅Ｗｅ（図５の（ａ）参照）を調整することにより、ひげぜんまい９０のアオリ幅を調整する。ここで、実効幅Ｗｅとは、スリット８５に遊嵌されたひげぜんまい外端９４の遊嵌部分９７の延在方向に対して実質的に垂直な方向に見たスリットないし間隙８５の大きさをいう。なお、この角度αの回動が可能になるのは、切欠領域Ｓ３，Ｓ２が形成されているためである。
【００５２】
ひげ棒構造体７０のこの回動位置Ｐでは、てん輪２２がＣ１方向にある程度回動して、ひげぜんまい９０の渦巻きがある程度小さくなると、図５の（ｂ）において実線で示したように、ひげぜんまい９０の外端９４の遊嵌部分９７の内面９７ａがひげ棒構造体７０の脚部８１の側面８１ｂの一方の側縁（内側側縁）８１ｆに当接し、それ以上の渦巻きの縮小に際しては、ひげぜんまい９０の外端９４の部分９７のうち該側縁８１ｆに当接した部分９７ｅが渦巻きばねの外側固定端として働く。一方、ひげ棒構造体７０の前記回動位置において、てん輪２２がＣ２方向にある程度回動して、ひげぜんまい９０の渦巻きがある程度大きくなると、図５の（ｃ）において実線で示したように、ひげぜんまい９０の外端９４の遊嵌部分９７の外面９７ｂがひげ棒構造体７０の脚部８２の側面８２ｂの逆側の側縁（外側側縁）８２ｆに当接し、それ以上の渦巻きの拡大に際しては、ひげぜんまい９０の外端９４の部分９７のうち該側縁８２ｆに当接した部分９７ｆが渦巻きばねの外側固定端として働く。ひげぜんまい９０の外端９４の部分９７ｅがひげ棒構造体７０の脚部８１の側縁８１ｆに当接するＣ１方向回動位置と外端９４の部分９７ｆが脚部８２の側縁８２ｆに当接するＣ２方向回動位置との中間の回動位置を、てん輪２２が採る場合、ひげぜんまい９０により構成される渦巻きばねの外側固定端は、ひげ持５０により固定された部位９６になる。従って、以上のような三つの状態を採る時間の長さに応じて、てんぷ構造体２の周期が決まることになる。典型的には、当初、角度αの大きさを調整しておくことにより、てんぷ構造体２の運動の仕方が基本的に設定される。
【００５３】
この回動状態Ｐでは、図５の（ａ）及び図６からわかるとおり、ひげぜんまい９０の外端９４の遊嵌部分９７に近接する両側部分９８ａ，９８ｂは、夫々、領域Ｓ３，Ｓ２を通り、平面図で見た場合、脚部８１，８２に対して横向きに突出したひさし状突出部８３，８４の突出部分８７，８８に重なる。従って、衝撃などによって、ひげぜんまい９０の外端９４がスリット８５の開口８５ａから外れる向きにＭ１方向に変位されても、ひげぜんまい９０の遊嵌部分９７又はその隣接部分９８ａ，９８ｂが下側縁９７ｄでひさし状突出部８３，８４の突出部分８７，８８の表面８７ａ，８８ａに当たるので、外端９４の遊嵌部分９７のスリット８５からの離脱が防止され得る。
【００５４】
以上のとおり、このてんぷ構造体２では、一方では、ひげ棒構造体７０の間隙８５の大きさＷがひげぜんまい９０の厚さと比較して十分に大きいので、ひげ棒構造体７０の間隙８５がひげぜんまい９０の外端９４の部分９７と実質的に平行に周方向に沿って延びる初期状態（回動前の状態）では、ひげぜんまい９０をひげ棒構造体７０の間隙８５に容易に遊嵌させ得る。また、このてんぷ構造体２では、ひげ棒構造体７０が脚部８１，８２から横向きに突出したひさし状突出部８３，８４を備えるので、ひげ棒構造体７０の間隙８５の実効幅Ｗｅが所定のレベルの大きさになるように、ひげ棒構造体７０が中心軸線Ｅのまわりで回動されて所定回動位置Ｐに設定されるだけで、ひげぜんまい９０のひげ棒構造体７０のスリット８５から外れるのを、突出部分８６，８８によって、実際上禁止し得る。回動角度αが、ある程度以上の大きさに設定される限り、調整のための角度αの多少の増減によっては、突出部分８６，８８による外端９４の部分９７のスリット８５からの離脱防止作用は損なわれない。
【００５５】
なお、図７の（ａ）からわかるとおり、ひげぜんまい９０の端縁９７ｄは、主面８７ａ，８８ａから離れているので、Ｅ１方向の回動によっても、端縁９０ｂは、通常動作状態で、主面８７ａ，８８ａから離間しており、ひさし状突出部８３，８４がひげぜんまい９０の動作を妨げる虞れはない。
【００５６】
以上の如く構成されたてんぷ構造体２が時計１の一部として組込まれた状態において、その進み具合の調整は、中心軸線Ｃのまわりにおける緩急針体６２の回動位置の調整等によって行われることは、通常通りである。
【００５７】
ひさし状突出部は、ひげぜんまい９０の外端９４のスリット８５内への容易な挿入を許容し得るようにスリットないし間隙８５の幅Ｗを実際上狭める向きには実際上突出することなく、且つ中心軸線Ｅのまわりにおけるひげ棒構造体７０の所定回動位置Ｐへの回動（スリット８５の実効幅Ｗｅの所定大きさへの調整）に伴い外端９４の遊嵌部分９７の隣接部分９８ａ，９８ｂの背後（スリットの開口側）においてスリット８５の開口からの遊嵌部分９７の離脱を実質的に禁止し得るように横方向に十分な長さだけ突出している限り、どのような形状・構造であってもよい。なお、ひさし状突出部は、当然ながら、領域Ｓ１〜Ｓ４のような外端収容領域を伴う。
【００５８】
例えば、ひげ棒構造体７０ａにおいて、脚部８１，８２の側面が、図８の（ａ）において符号８１ｄ１，８１ｅ１，８２ｄ１，８２ｅ１で示したように、部分円筒状面の代わりに平面であっても、他の形状であってもよい。なお、この場合にも、脚部８１，８２は、その強度を確保しつつスリット８５に臨む側面８１ｂ，８２ｂの幅をできるだけ小さくし得るように、スリット８５に近接する部位ほど薄くなる形状を備える。この例では、主たる変更部分ないし要素は、符号の最後に添字１を付して示してある。
【００５９】
また、ひさし状突出部８３，８４の突出部分が、脚部８１，８２の両側に対称に形成される代わりに、図８の（ｂ）に示したように脚部８１ｍ，８２ｍの両側に非対称に形成されてもよい。この図の場合、ひげ棒構造体７０ｍが回動位置Ｐに設定される際、ひさし状突出部８３，８４のうち、ひげぜんまい９０の外端９４の遊嵌部分９７に隣接する部分９８ａ，９８ｂに重なる側の突出部分８７ｍ，８８ｍが、他方の突出部分８６ｍ，８９ｍよりも大きくなるように、スリット８５ｍが斜めに延びている。この例では、主たる変更部分ないし要素は、符号の最後に添字ｍを付して示してある。
【００６０】
また、スリットを形成する側面が直線状（平面状）である代わりに、曲線状（曲面状）であってもよい。例えば、図８の（ｃ）に示した例では、ひげ棒構造体７０ｎにおいて、ひさし状突出部８３ｎ，８４ｎのスリット規定側面８３ｂ，８４ｂが凸状に湾曲し、該側面８３ｂ，８４ｂに沿った脚部側面８１ｂ，８２ｂも凸状に湾曲している。この場合、脚部規定側面８１ｂ，８２ｂよりもひさし状突出部８３，８４のスリット規定側面８３ｂ，８４ｂが多少後退しているけれども、横方向に突出したひさし状突出部８３ｎ，８４ｎがひげぜんまい９０の外端９４の遊嵌部分９７がスリット８５ｎから離脱するのを防止し得るように該遊嵌部分９７の隣接部分９８ａ，９８ｂの離脱方向への移動を禁止し得る限り、その後退の程度や後退形状は異なっていてもよい。この例では、主たる変更部分ないし要素は、符号の最後に添字ｎを付して示してある。
【００６１】
また、例えば、図８の（ｄ）に示したように、ひげ棒構造体７０ｑにおいて、ひげぜんまい９０の外端９４の湾曲の仕方に倣うように、ひさし状突出部８３ｑ，８４ｑのスリット規定側面８３ｂ，８４ｂのうち一方が凸状に湾曲し他方が凹状に湾曲していてもよい。ここで、側面８３ｑ，８４ｑに沿った脚部側面８１ｂ，８２ｂも夫々凸状，凹状に湾曲している。この例では、主たる変更部分ないし要素は、符号の最後に添字ｑを付して示してある。
【００６２】
更に、所望ならば、ひさし状突出部を要しない側では、該突出部形成用の切欠がなくてもよい。例えば、図５の（ａ）〜（ｃ）や図６に示した例の場合、突出部分８６，８９は動作上はなくてもよい。従って、例えば、図８の（ｅ）に示したように、ひげ棒構造体７０ｒにおいて、ひさし状突出部８３ｒ，８４ｒが、夫々、一つの突出部分８７ｒ、８８ｒからなっていてもよい。この場合、脚部８１ｒ，８２ｒは、例えば、中心角が９０度程度のほぼ扇形状の横断面を備え得る。この例では、主たる変更部分ないし要素は、符号の最後に添字ｒを付して示してある。
【００６３】
この観点で見ると、例えば、図８の（ａ），（ｂ），（ｃ），（ｄ）に示した例において、突出部分８６，８６ｍ，８６ｎ，８６ｑ及び突出部分８９，８９ｍ，８９ｎ，８９ｑはなくてもよく、その場合、突出部分８６，８６ｍ，８６ｎ，８６ｑ及び突出部分８９，８９ｍ，８９ｎ，８９ｑに対応する領域が、例えば、脚部８１，８１ｍ，８１ｎ，８１ｑや脚部８２，８２ｍ，８２ｎ，８２ｑの側面に沿って脚部の先端まで切欠かれていればよい。
【００６４】
なお、脚部８１，８２等の両側にひさし状突出部が形成されていることは、ひげ棒構造体を中心軸線Ｅのまわりでどちらの向きにも回し得るという点では、利点がある。
【００６５】
以上においては、ひげ棒構造体７０を時計回りに角度αだけ回動させた状態にした例について説明したけれども、所望ならば、ひげ棒構造体７０を反時計回りに所望角度（例えば角度α）だけ回動させてもよく、その場合、ひさし状突出部８３，８４のうち関連する突出部分は、部分８７，８８の代わりに、部分８６，８９になるから、以上の変形例等において部分８７，８８についての説明が部分８６，８９に関するものと読み替えられるべきである。
【００６６】
また、ひさし状突出部８３，８４のうちひげぜんまい９０の側縁９０ｂに対面する面８７ａ，８８ａ等（図６参照）は、典型的には、ひげぜんまい９０の延在面と平行な平面からなるけれども、ひげぜんまい９０の動作を妨げないように、該ひげぜんまい９０の側縁９０ｂから離れて位置し得る限り、傾斜していたり凹部や凸部があってもよい。即ち、ひげぜんまい外端収容領域Ｓ１〜Ｓ４の高さＨがひげぜんまい９０の幅よりも十分に大きければ、面８７ａ，８８ａ等の詳細な状態は所望により選択され得る。
【００６７】
同様に、軸本体部７３の端面７３ａも、典型的には、ひげぜんまい９０の延在面と平行な平面からなるけれども、ひげぜんまい９０の動作を妨げないように、該ひげぜんまい９０の側縁９０ｂから離れて位置し得る限り、傾斜していたり凹部や凸部があってもよい。
【００６８】
なお、軸本体部７３の端面は、図示の例では、間隙ないしスリット８５の部分とひげぜんまい外端収容領域Ｓ１〜Ｓ４の部分とで同一（面一）であるけれども、所望ならば、スリット８５の部分では、脚部８１，８２の先端の方により突出していてもよい。
【００６９】
また、脚部８１，８２のうち間隙ないしスリット８５に対面する側面８１ｂ，８２ｂは、夫々の一側縁において実効幅Ｗｅを規定することから、該一側縁が角部になる代わりに丸められていてもよい。
【図面の簡単な説明】
【００７０】
【図１】本発明による好ましい一実施例のひげ棒構造体を備えたてんぷ構造体を有する機械式時計の平面説明図。
【図２】図１の機械式時計のてんぷ構造体の平面説明図。
【図３】図２のてんぷ構造体の底面（裏側平面）説明図。
【図４】図２のてんぷ構造体のＩＶ−ＩＶ線断面説明図（但し、ひげ棒構造体が回動前の位置にある状態）。
【図５】図２のてんぷ構造体のひげ棒構造体の動作を説明するための図で、（ａ）は図３のうちひげ棒構造体の近傍部分を拡大して示した裏側平面説明図、（ｂ）はひげぜんまいが巻かれる方向にてん輪が回動した状態について（ａ）のうちひげ棒構造体とひげぜんまいの外端の遊嵌部分及びその隣接部分との関係を示した説明図、（ｃ）はひげぜんまいがほどかれる（拡がる）方向にてん輪が回動した状態について（ａ）のうちひげ棒構造体とひげぜんまいの外端の遊嵌部分及びその隣接部分との関係を示した説明図。
【図６】図２のてんぷ構造体のひげ棒の動作及び離脱防止作用を説明するための図で、図４のＶＩ−ＶＩ線断面説明図（但し、ひげ棒構造体を所定状態に回動した後の状態）。
【図７】図２のてんぷ構造体で用いられている本発明による好ましい一実施例のひげ棒構造体を示したもので、（ａ）は正面説明図、（ｂ）は（ａ）の底面（裏側平面）説明図、（ｃ）は（ａ）のＶＩＩＣ−ＶＩＩＣ線断面説明図、（ｄ）は（ａ）のひげ棒構造体の斜視説明図。
【図８】ひげ棒構造体のいくつかの変形例について図７の（ｃ）と同様な断面で示したもので、（ａ）は平面状側面を備える例の断面説明図、（ｂ）は非対称な突出部分を備える例の断面説明図、（ｃ）はスリット規定側面が凸面状である例の断面説明図、（ｄ）はスリット規定側面が凸面状及び凹面状である例の断面説明図、（ｅ）は突出部分が各脚部の一方の側だけにある例の断面説明図。
【符号の説明】
【００７１】
１  機械式時計
２  てんぷ構造体
３  ムーブメント
１０  てんぷ上軸受
２１  てん真
２２  てん輪
２５  振り座
２６  ひげ玉
３０  てんぷ受
４０  ひげ持受
５０  ひげ持
５１  軸部
５２  鍔部
６０  緩急針構造体
６２  緩急針体
６３  先端部
６４  本体部
６５  間隙
６６，６７  アーム部
７０，７０ａ，７０ｍ，７０ｎ，７０ｑ，７０ｒ  ひげ棒構造体
７１  軸部
７２  頭部
７３  軸本体部
７３ａ  主面
７４  基部
８０  ひげぜんまい係合部
８１，８２，８１ｍ，８２ｍ，８１ｎ，８２ｎ，８１ｑ，８２ｑ，８１ｒ，８２ｒ  脚部
８１ｂ，８２ｂ  側面
８１ｄ，８１ｅ，８２ｄ，８２ｅ，８１ｄ１，８１ｅ１，８２ｄ１，８２ｅ１，  側面
８３，８４  ひさし状突出部
８３ｂ，８４ｂ  側面
８５，８５ｍ  間隙（スリット）
８６，８７，８８，８９，８６ｍ，８７ｍ，８８ｍ，８９ｍ，８６ｎ，８７ｎ，８８ｎ，８９ｎ，８６ｑ，８７ｑ，８８ｑ，８９ｑ，８７ｒ，８８ｒ  突出部分
８６ａ，８７ａ，８８ａ，８９ａ  主面
９０  ひげぜんまい
９０ａ，９０ｂ  側縁
９１  本体部
９３  癖付け部
９４  外端
９７  遊嵌部分
９７ａ  内表面
９７ｂ  外表面
９８ａ，９８ｂ  隣接部分
Ｅ  中心軸線
Ｓ１，Ｓ２，Ｓ３，Ｓ４  ひげぜんまい外端収容領域
Ｈ  高さ
Ｐ  アオリ幅調整状態（調整位置）
Ｗ  幅
Ｗｅ  実効幅
α  回動角度
【図１】
0004688627.tif 000002
【図２】
0004688627.tif 000003
【図３】
0004688627.tif 000004
【図４】
0004688627.tif 000005
【図５】
0004688627.tif 000006
【図６】
0004688627.tif 000007
【図７】
0004688627.tif 000008
【図８】
0004688627.tif 000009